(57)【要約】      （修正有）【課題】簡単な操作により座部とバックレストとの間の角度を調整可能なリクライニングチェアを提供する。【解決手段】リクライニングチェア１０は、座部３０と、座部３０に対して傾動可能に連結されたバックレスト２０と、座部３０に連結されて同座部を支持する後脚部４０と、アームレスト７０とを備えている。バックレスト２０がアームレスト７０の基端部に連結され、アームレスト７０には、後脚部４０が選択的に係合可能な複数の凹部が設けられている。アームレスト７０が操作されることにより後脚部４０と係合する凹部が切り替えられるときに、バックレスト２０がアームレスト７０と連動することにより、座部３０とバックレスト２０との間の角度が変更される。【選択図】図２
0003183389.tif 000002
【実用新案登録請求の範囲】
【請求項１】
座部と、前記座部に対して傾動可能に連結されたバックレストと、前記座部に連結されて同座部を支持する脚部と、アームレストとを備えるリクライニングチェアにおいて、
前記バックレストが前記アームレストの基端部に連結され、前記アームレストには、前記脚部が選択的に係合可能な複数の係合部が設けられ、前記アームレストが操作されることにより前記脚部と係合する前記係合部が切り替えられるときに、前記バックレストが前記アームレストと連動することにより、前記座部と前記バックレストとの間の角度が変更される
ことを特徴とするリクライニングチェア。
【請求項２】
請求項１に記載のリクライニングチェアにおいて、
前記係合部は前記アームレストに形成された複数の凹部であり、前記脚部に挿通された棒状部材が前記複数の凹部の何れか１つに嵌め込むことにより、前記脚部が前記凹部と係合する
ことを特徴とするリクライニングチェア。
【請求項３】
請求項１又は請求項２に記載のリクライニングチェアにおいて、
前記座部の先端にはフットレストが角度調整機構を介して設けられる
ことを特徴とするリクライニングチェア。
【請求項４】
請求項３に記載のリクライニングチェアにおいて、
前記角度調整機構により、前記フットレストの前記座部に対する傾斜角度が段階的に調整される
ことを特徴とするリクライニングチェア。
【請求項５】
請求項３又は４に記載のリクライニングチェアにおいて、
前記角度調整機構は、前記フットレストが所定の下限位置から所定の上限位置へ回動することを許容する一方、前記フットレストが所定下限位置から上限位置へ回動することを制限し、前記フットレストが前記上限位置を超えた場合、前記角度調整機構による前記フットレストの前記上限位置への回動に対する制限が解除され、前記フットレストが前記下限位置まで戻される
ことを特徴とするリクライニングチェア。
【請求項６】
請求項１〜５の何れか一項に記載のリクライニングチェアにおいて、
前記脚部は、一端が脚部固定部材によって連結された前脚部と後脚部とを含み、前記前脚部が前記座部と回転可能に連結されるとともに、前記後脚部が２軸連結部材を介して前記座部に連結され、
前記２軸連結部材は、前記座部と共通の第１回転軸と前記後脚部と共通の第２回転軸とを有し、前記前脚部が前記座部に対して回転されると、前記第１回転軸が前記第２回転軸を中心に回転するように前記座部が前記後脚部に対して相対的に移動することにより、前記座部、前記前脚部及び前記後脚部が略平坦に折り畳まれる
ことを特徴とするリクライニングチェア。
【考案の詳細な説明】
【技術分野】
【０００１】
本考案は、バックレストの角度を調整可能なリクライニングチェアに関する。
【背景技術】
【０００２】
バックレストの角度を調整可能なリクライニングチェアとしては、例えば特許文献１に記載のものがある。該特許文献１に記載のリクライニングチェアでは、本体のシート支柱を肘支柱、背支柱、座支柱と独立させることにより、バックレストが座部と連動して水平に近い状態まで傾斜できるようになっている。
【先行技術文献】
【特許文献】
【０００３】
【特許文献１】実用新案登録第３１３１３８７号
【考案の概要】
【考案が解決しようとする課題】
【０００４】
しかしながら、特許文献１に記載のリクライニングチェアでは、座部とバックレストとが相対的に回動することができないため、使用者は座部とバックレストとの間の角度を自分に合う角度に調整することができない。
本考案の目的は、簡単な操作により座部とバックレストとの間の角度を調整可能なリクライニングチェアを提供することにある。
【課題を解決するための手段】
【０００５】
本考案のリクライニングチェアは、座部と、前記座部に対して傾動可能に連結されたバックレストと、前記座部に連結されて同座部を支持する脚部と、アームレストとを備え、前記バックレストが前記アームレストの基端部に連結され、前記アームレストには、前記脚部が選択的に係合可能な複数の係合部が設けられ、前記アームレストが操作されることにより前記脚部と係合する前記係合部が切り替えられるときに、前記バックレストが前記アームレストと連動することにより、前記座部と前記バックレストとの間の角度が変更される、ことをその主旨とする。
こうした構成により、使用者は、簡単な操作により座部とバックレストとの角度を自分に合う角度に調整することができる。
【図面の簡単な説明】
【０００６】
【図１】本発明の一実施形態にかかるリクライニングチェアの骨格の斜視図。
【図２】リクライニングチェアの骨格にクッション部材を装着した状態の同リクライニングチェアの側面図。
【図３】リクライニングチェアが折り畳まれる際の動きを説明する図。
【図４】アームレストの内側面構造を示す側断面図。
【図５】アームレストの平面構造を示す水平断面図。
【図６】バックレストと座部との間の角度を調整する際の態様を示す図。
【考案を実施するための形態】
【０００７】
以下、図面に基づいて本発明の実施形態について詳細に説明する。
図１は、本発明の一実施形態にかかるリクライニングチェアの骨格の斜視図であり、図２はリクライニングチェアの骨格にクッション部材を装着した状態の同リクライニングチェアの側面図である。以下の説明における「前」、「後」、「上」、「下」、「左」、「右」とは、リクライニングチェアに着座した使用者から見た方向である。
図１及び図２に示されるように、リクライニングチェア１０は、バックレスト２０、座部３０、後脚部４０、前脚部５０、フットレスト６０、及び左右一対のアームレスト７０を備えている。
バックレスト２０は、金属製のパイプを折り曲げて下方に開放するコ字状のバックレストフレーム２１と、このバックレストフレーム２１間に懸架された複数本のバネ部材２２とによって構成されている。座部３０は、金属製のパイプを折り曲げて前方に開放するコ字状の座部フレーム３１、座部フレーム３１間に懸架された複数本のバネ部材３２、及びこれらのバネ部材３２と平行するように座部フレーム３１間に懸架された１本のリブ部材３３によって構成されている。バックレストフレーム２１の開放する端部（下方の両端部）は、それぞれピン１１１を介して、外側から座部フレーム３１の開放しない端部（後方の端部）に回転可能に連結されている。即ち、バックレスト２０が座部３０に対して回転可能に連結されている。
バックレストフレーム２１と座部フレーム３１との連結部においてバックレストフレーム２１の外側には、２軸連結部材１１が更に設けられている。２軸連結部材１１は、上述のピン１１１が挿通されることにより、バックレストフレーム２１に対して回転可能に連結されている。２軸連結部材１１においてピン１１１よりも下方の部位は、ピン１１２により後脚部４０に対して回転可能に連結されている。即ち、後脚部４０が２軸連結部材１１を介して座部３０に連結されており、２軸連結部材１１は、座部３０と共通の第１回転軸と、後脚部４０と共通の第２回転軸とを有している。
【０００８】
後脚部４０及び前脚部５０は、それぞれ金属製のパイプを折り曲げて上方に開放するコ字状に形成され、これらの上端において脚部固定部材５１によって連結されている。脚部固定部材５１は、略半円筒状を呈しており、後脚部４０及び前脚部５０の上端は、脚部固定部材５１によって被覆されるとともに、ピン（棒状部材）５１１，５１２を介して脚部固定部材５１に対して回転可能に固定されている。なお、前脚部５０は図２に示される状態よりも後方へ回転することができるが、前方への回転が脚部固定部材５１によって制限されている。また、前脚部５０は、ピン３１１を介して座部フレーム３１に対して回転可能に連結されている。
アームレスト７０は、樹脂材により内部が中空に一体成形されており、アームレスト７０の基端部（後端部）がピン７１１を介してバックレストフレーム２１に対して回転可能に連結されている。アームレスト７０の中間部には、角度調整機構７２が設けられており、アームレスト７０は、この角度調整機構７２とピン５１１との係合により、後脚部４０及び前脚部５０と連結されている。
【０００９】
フットレスト６０は、金属製のパイプを折り曲げて後方に開放するコ字状のフットレストフレーム６１、フットレストフレーム６１の間に懸架されたバネ部材６２、及びバネ部材６２と平行するようにフットレストフレーム６１間に懸架された１本のリブ部材６３によって構成されている。フットレストフレーム６１は、角度調整機構１３を介して座部フレーム３１の先端（前方の端部）に連結されており、座部フレーム３１に対して傾斜角度が段階的に調整可能である。具体的には、角度調整機構１３により、フットレストフレーム６１は、座部フレーム３１に対して略垂直な位置（下限位置）から座部フレーム３１と略平行な位置（上限位置）まで、図２における方向A２へ６段階で回動することが可能であるが、図２における方向A１への回動が制限されている。なお、フットレストフレーム６１が上限位置よりも方向A２へ回動されると、角度調整機構１３によるフットレストフレーム６１の方向A１への回動に対する制限が解除され、フットレストフレーム６１が下限位置まで戻される。こうした構成によれば、使用者は、フットレストフレーム６１を下限位置から上限位置へ段階的に回動させ、又は同フットレストフレーム６１を上限位置よりも方向A２へ回動させることにより、フットレストフレーム６１と座部フレーム３１との角度を自分に合う角度に調整することができるようになる。
【００１０】
リクライニングチェア１０は、バックレスト２０、座部３０、後脚部４０、前脚部５０、フットレスト６０、及びアームレスト７０が図３に示される方向にそれぞれ回転することにより、全体が略平坦に折り畳まれることができる。具体的には、前脚部５０が座部３０に対し方向Ｃ１に沿って回転されると、２軸連結部材１１の第１回転軸が第２回転軸を中心に回転するように座部３０が後脚部４０に対して相対的に移動することにより、座部３０、前脚部５０及び後脚部４０が略平坦に折り畳まれる。更に、アームレスト７０が方向Ｃ２に沿ってバックレスト２０と重なる位置まで回転された後に、バックレスト２０がＣ３方向に沿って座部３０に対して回転され、フットレスト６０が座部３０と略平行な位置まで回転されると、リクライニングチェアの全体が略平坦に折り畳まれる。
バックレストフレーム２１、座部フレーム３１、及びフットレストフレーム６１には、一体に形成されたクッション部材１５が取外し可能に装着されている。また、アームレスト７０の上面にはクッション部材７１が取外し可能に装着されている。
【００１１】
以下に、図４〜図６を参照して角度調整機構７２の構造を詳細に説明する。なお、図４は、アームレスト７０の内側面構造を示すための側断面図であり、図５は、アームレスト７０の平面構造を示すための水平断面図である。
図４及び図５に示されるように、アームレスト７０は、上下方向に延伸して互いに対向する側壁７０１、７０２の内側面には、それぞれ角度調整機構７２が形成されている。各角度調整機構７２は、鋸刃状をなす５個の係止突起７２１と、これらの係止突起７２１及び角度調整機構７２の壁部７２３によって区画された６個の凹部７２２（係合部）とを備えている。リクライニングチェア１０の使用時に、脚部固定部材５１と後脚部４０とを連結するピン５１１が６個の凹部７２２の何れか１つに嵌め込み、同凹部７２２と係合することにより、バックレスト２０と座部３０との間の角度が決められる。
【００１２】
図６には、角度調整機構７２を介してバックレスト２０と座部３０との間の角度を調整する際の態様が示されている。即ち、使用者がバックレスト２０と座部３０との角度を調整する際には、まず腰をかけたまま上体を前かがみにしてバックレスト２０から背中を離し、次に左右のアームレスト７０の先端部を同時に方向Ｂ１に持ち上げ、ピン５１１と凹部７２２との係合が解除される。そして、そのまま左右のアームレスト７０を同時に方向Ｂ２に沿って前後に動かしてバックレスト２０を方向Ｂ３に傾倒させ、好みの位置が得られたときに左右のアームレスト７０を降ろし、ピン５１１を角度調整機構７２の所定の凹部７２２にはめ込ませることにより、バックレスト２０と座部３０との角度を好みの角度に調整することができる。このように、使用者は、アームレスト７０を操作して後脚部４０と係合する凹部７２２を変更することにより、バックレスト２０と座部３０との間の角度を変更することができる。なお、本実施形態では、バックレスト２０と座部３０との角度は、略９０°〜１５０°の範囲内において６段階で調整可能である。
【００１３】
本実施形態によれば、以下の効果を得ることができる。
（１）アームレスト７０において後脚部４０が選択的に係合可能な複数の凹部７２２が設けられ、後脚部４０と係合する凹部７２２が切り替えられるときに、バックレスト２０がアームレスト７０と連動することにより、座部３０とバックレスト２０との間の角度が変更される。これにより、使用者は、簡単な操作により座部とバックレストとの角度を自分に合う角度に調整することができる。
（２）フットレスト６０が角度調整機構１３を介して座部フレーム３１の先端に連結されている。このようにフットレストがリクライニングチェア１０の本体（座部３０）と一体に構成されることにより、フットレストが別に設けられる場合と比較して、リクライニングチェアの構造の簡素化を図ることができる。また、角度調整機構１３によりフットレスト６０の座部３０に対する傾斜角度を段階的に調整することができるようになる。そのため、使用者は、フットレスト６０と座部３０との角度を自分に合う角度に調整することができる。
（３）角度調整機構１３がフットレスト６０が下限位置から上限位置へ段階的に回動することを許容する一方、フットレスト６０が下限位置から上限位置へ回動することを制限する。これにより、使用者は、簡単な操作でフットレスト６０と座部３０との角度を調整することができる。
（４）後脚部４０が２軸連結部材１１を介して座部３０に連結されることにより、前脚部５０が座部３０に対して回転されると、座部３０、前脚部５０及び後脚部４０が略平坦に折り畳まれる。これにより、非使用時には、リクライニングチェア１０をコンパクトにし、簡単に収納することができる。
【００１４】
本実施形態は、以下のように変更しても良い。
・本実施形態では、後脚部４０と係合する係合部として、アームレスト７０に形成された凹部７２２に限らず、例えばピン５１１と係合可能なクリップ等の係合部材をアームレスト７０に固定する構造を採用することもできる。
・本実施形態では、バックレスト２０と座部３０との間の角度が略９０°〜１５０°の範囲内において６段階で調整される構成を採用したが、これに限らず、例えば凹部７２２の数を増減することにより、バックレスト２０と座部３０との角度の調整可能な段階数を変更することもできる。また、アームレスト７０の寸法等を変更することにより、バックレスト２０と座部３０との間の角度の調整可能な範囲を任意に変更することができる。
・本実施形態では、フットレスト６０が座部フレーム３１に対して略垂直な位置（下限位置）から座部フレーム３１と略平行な位置（上限位置）まで、６段階で回動することが可能である。これに限らず、例えば１４段など、他の段数の角度調整機構を採用することにより、フットレスト６０と座部フレーム３１との間の角度が変更可能な範囲や、固定可能な段数を変更することができる。また、無段調整可能な角度調整機構を採用することにより、フットレスト６０と座部フレーム３１との間の角度を調整することができるようになる。
【図１】
0003183389.tif 000003
【図２】
0003183389.tif 000004
【図３】
0003183389.tif 000005
【図４】
0003183389.tif 000006
【図５】
0003183389.tif 000007
【図６】
0003183389.tif 000008